Podtech/llm-jp-corpus-v4-ja_patent huggingface dataset:
(57)【要約】【課題】簡単な構造で、筺体内部への電線の引き込みが楽に行えるキュービクル式蓄電池設備を提供することを目的としている。【解決手段】本発明に係るキュービクル式蓄電池設備は、底板には、筺体内へ蓄電池へ接続される電線を引き込むための電線管挿通孔が形成され、電線をチャンネルベース側面から引き込み可能とし、電線管挿通孔には、電線管の径と対向する穴と、電線管を固定するバンドが挿通可能である挿通孔を設けた引き込み板が設けられることを特徴とする。【選択図】図４
2015201332.tif 000002
【特許請求の範囲】
【請求項１】
筺体内部に蓄電池を配列し、前記筺体の底板はチャンネルベースに結合されて設置されるキュービクル式蓄電池設備であって、前記底板には、前記筺体内へ前記蓄電池へ接続される電線を引き込むための電線管挿通孔が形成され、前記電線を前記チャンネルベース側面から引き込み可能としたことを特徴とするキュービクル式蓄電池設備。
【請求項２】
前記キュービクル式蓄電池設備であって、前記電線管挿通孔には、電線管の径と対向する穴と、前記電線管を固定するバンドが挿通可能である挿通孔を設けた引き込み板が設けられることを特徴とする請求項１に記載のキュービクル式蓄電池設備。
【発明の詳細な説明】
【技術分野】
【０００１】
本発明は、蓄電池を収容するキュービクル式蓄電池設備の筺体の構造である。
【背景技術】
【０００２】
キュービクル式蓄電池設備は、筺体内部に蓄電池を収納し、筺体外部から電線を引き込んで蓄電池に接続する。従来、電線の引き込みは、電線は複数本を束にして電線管を用いたりして、底板下方からチャンネルベースを通してなされていた。
【先行技術文献】
【特許文献】
【０００３】
【特許文献１】特許第３４０３９６４号公報
【特許文献２】特許第３９００４００号公報
【発明の概要】
【発明が解決しようとする課題】
【０００４】
電線は束にすると径が大きくなり、折り曲げることが困難で、筺体内部に引き込む際には、電線を折り曲げずにするとチャンネルベースが固定されるコンクリートベースに穴を開けるといった大変な手間が掛かり、また、電線を折り曲げた場合、電線の引き回しが煩わしかった。
【課題を解決するための手段】
【０００５】
上記課題に鑑み、本発明は、簡単な構造で、筺体内部への電線の引き込みが楽に行えるキュービクル式蓄電池設備を提供することを目的とし、その構造は、底板には、筺体内へ蓄電池へ接続される電線を引き込むための電線管挿通孔が形成され、電線をチャンネルベース側面から引き込み可能としたことを特徴とする。
【０００６】
また、電線管挿通孔には、電線管の径と対向する穴と、電線管を固定するバンドが挿通可能である挿通孔を設けた引き込み板が設けられることを特徴とする。
【発明の効果】
【０００７】
本発明は、底板には、筺体内へ蓄電池へ接続される電線を引き込むための電線管挿通孔が形成され、電線をチャンネルベース側面から引き込み可能としたため、太い径の電線でも引き回しの自由度が増し、作業が楽に行えるようになる。
【０００８】
また、電線管挿通孔には、電線管の径と対向する穴と、電線管を固定するバンドが挿通可能である挿通孔を設けた引き込み板が設けられるため、電線の取り扱いが簡単にでき、電線の引き込み作業の時間短縮を図ることができる。
【図面の簡単な説明】
【０００９】
【図１】キュービクル式蓄電池設備の筺体を示す正面図である。
【図２】図１における前面の側板を外した状態の説明図である。
【図３】キュービクル式蓄電池設備の筺体を示す側面図である。
【図４】底板を上面視した状態の図である。
【図５】電線の引き込みを示す説明図である。
【図６】電線の引き込みを示す説明図である。
【発明を実施するための形態】
【００１０】
本発明に係るキュービクル式蓄電池設備の実施例を図１〜図６の添付図面に基づいて説明する。
【００１１】
本発明は、底板１、四面を囲う側板２、上面を覆う天板３とで構成される筺体４に蓄電池５を収納して成るキュービクル式蓄電池設備６に関する。筺体４はチャンネルベース７を介して、コンクリートベースに設置され、蓄電池５には筺体４外部から引き込んだ電線８が接続される。
【００１２】
筺体４の底板１と結合されるチャンネルベース７には、側面部分に挿通孔９を設ける。この挿通孔９を使って、電線を通すための電線管１０を挿通する。それから筺体４への引き込みは、筺体４の底板１に開口１１を設ける。キュービクル式蓄電池設備６は、何本もの電線８を引き込むため、電線８は束になり折り曲げることが難しく、電線８の引き回しにはスペースの余裕が必要である。本発明では、チャンネルベース７側面に挿通孔を、筺体４底板１には開口１１を設け、チャンネルベース７側面の挿通孔９と筺体４底板１の開口１１を通して、電線８を筺体４内部に引き込むものとする。チャンネルベース７側面から入線し、緩やかな角度で筺体４底板１の開口から筺体４内部へ電線８を引き込む。
【００１３】
また、筺体４底板１に設けられた開口１１には、引き込み板１２を取り付けることが可能である。引き込み板１２は、断面略Ｌ字状に折曲し、取り付け部１２ａと結束部１２ｂとを形成している。取り付け部１２ａは筺体４底板１に接する部分で、底板１に固定するための固定穴１３と、電線管１０を通すための電線管穴１４とを設ける。電線管穴１４は電線管１０を挿通する方向に延設した略だ円形状である。また結束部１２ｂは、筺体４底板１に引き込み板１２を取り付けたときに筺体４内部へ立ち上がるように設けられ、複数の結束穴１５を形成している。結束穴１５は結束バンド１６が挿通可能で、電線管１０から出線した電線８を束にして、結束バンド１６で引き込み板１２に結束する。
【００１４】
電線の径が大きかったり、多くの電線を束ねたりして、電線の折り曲げがしにくいので、なるべく電線を折り曲げることなく筺体内部に引き込むことができるようにする。筺体底面の開口に取り付けられる引き込み板は、電線管を緩やかな角度で電線管穴に挿通できるような形状である。また、電線の結束もできるので、筺体内部の整線も容易にできる。
【符号の説明】
【００１５】
１    底板
２    側板
３    天板
４    筺体
５    蓄電池
６    キュービクル式蓄電池設備
７    チャンネルベース
８    電線
９    挿通孔
１０  電線管
１１  開口
１２  引き込み板
１２ａ  取り付け部
１２ｂ  結束部
１３  固定穴
１４  電線管穴
１５  結束穴
１６  結束バンド
【図１】
2015201332.tif 000003
【図２】
2015201332.tif 000004
【図３】
2015201332.tif 000005
【図４】
2015201332.tif 000006
【図５】
2015201332.tif 000007
【図６】
2015201332.tif 000008
(57)【要約】【課題】  蓄電池は今後電気自動車や再生可能エネルギーの効果的な利用のために必要不可欠な要素であるが、電極や電解液の酸化劣化により充放電効率が低下し、寿命が短くなるという問題があった。【解決手段】  本発明は、３２〜３８テラヘルツの共鳴電磁波の転写放射体を蓄電池に装着することで、電解液の水素結合を分断し水素イオンや電子を放出させ、電極や電解液の酸化劣化を抑制することで蓄電池の寿命を延長する簡便な方法を提供する。【選択図】図１
2015201417.tif 000002
【特許請求の範囲】
【請求項１】
特定の周波数の共鳴電磁波の転写発振体であることを特徴とする蓄電池の寿命延長装置。
【請求項２】
請求項１に記載の特定の周波数は、３２〜３８テラヘルツであることを特徴とする蓄電池の寿命延長装置。
【請求項３】
請求項１に記載の共鳴電磁波の転写発信体は、アルミニューム、ステンレススチール、銅、チタン等の自由電子を多く含む金属やセラミック、天然鉱石等のケイ素や炭素成分を多く含んだ物質とすることを特徴とする蓄電池の寿命延長装置。
【発明の詳細な説明】
【技術分野】
【０００１】  本発明は、３２〜３８テラヘルツの共鳴電磁波の転写発振体である物質を蓄電池に装着することにより蓄電池の寿命を延長することができる蓄電池の寿命延長装置を提供する。
【背景技術】
【０００２】  従来、鉛蓄電池の寿命を延長するために、電解液にサルフェーションを抑制する効果のある物質を添加する方法が提案されている。【０００３】  また、放射線領域の電磁波を放射する物質を蓄電池の電極部にとりつけることにより活物質を活性化することで充電効率を改善し、蓄電池を長寿命化する装置も提案されている。
【特許文献１】  特開２００８−８４８０４
【特許文献２】  特開平８−１６２１４７
【発明の概要】
【発明が解決しようとする課題】
【０００４】  電極で活物質を反応させたり、電解質を溶解した電解液中で、イオンを電極間で移動させる等のいろいろな種類の蓄電池があるが、基本的には、金属のイオン化傾向による酸化還元反応を利用して充放電している。【０００５】  もっとも多く使用されている鉛蓄電池は、サルフェーション現象により、負極に酸化鉛の硬い塊が付着し、負極の表面積が低下したり、陽極の二酸化鉛が脱落して、充放電効率が低下する。【０００６】  またどのようなタイプの蓄電池でも、長期間使用すると、電極や電解液が酸化劣化し、充放電効率が劣化するという問題がある。
【課題を解決するための手段】
【０００７】  このような課題を解決するために本発明者は、３２〜３８テラヘルツの共鳴電磁波が、共振作用で、水を含めたいろいろな物質の水素結合を分離したり、電子の散乱を円滑にすることを発見し、本発明をなすに至った。【０００８】  本発明では、３２〜３８テラヘルツの共鳴電磁波により電解液の水素結合を分断し、水素イオンと電子を、電解液に放出することで、充電時間を短縮することができる。【０００９】  また、本発明の寿命延長装置を装着して充放電を繰り返して行うと、サルフェーションのような電極の劣化や、電解液中の活物質の酸化劣化を抑制し、有効放電量を大きくするとともに蓄電池寿命を延長することができる。
【発明の効果】
【００１０】  本発明によれば、３２〜３８テラヘルツの共鳴電磁波の転写発振体である蓄電池の寿命延長材を蓄電池に装着するだけで、低コストで容易に蓄電池の寿命を延長できる。【００１１】  本発明による蓄電池の寿命延長装置を蓄電池のケースに取り付けると、当該寿命延長装置から放出される３２〜３８テラヘルツの共鳴電磁波が、電解液の水素結合を分離し、水素イオンと電子を電解液に放出する。【００１２】  電解液に放出される水素イオンと電子は、蓄電池の充電中は、充電時間の短縮の作用をし、放電時は放電時間または使用時間の延長の作用をする。【００１３】  また、水素イオンの分離で放出される電子は、還元効果で電極に付着した酸化物質を還元したり、電解液の電解質の酸化劣化を抑制する。
【発明を実施するための形態】
【００１４】  以下、本発明の実施形態について図面を参照しながら詳細に説明する。
図１は、本発明の蓄電池の寿命延長装置の充電作用概念の縦断面を示す。
図２は、本発明の蓄電池の寿命延長装置の放電作用概念の縦断面を示す。
【００１５】  図１に示すように、本発明の蓄電池の寿命延長装置８を、蓄電池の本体ケース１に装着する。
【００１６】  当該寿命延長装置８は、アルミニューム、ステンレススチール、チタン、銅等の自由電子の多く含まれる金属を主として使用し、板や帯状の共鳴電磁波転写体にし、蓄電池ケース１に取り付ける方法が簡便である。その他３２〜３８テラヘルツの共鳴電磁波９を放射するセラミックや鉱石を使用することも可能である。
【００１７】  当該寿命延長装置８から、３２〜３８テラヘルツの共鳴電磁波９が放射され、電解液２の水素結合が分断され、陽イオン６と電子７を電解液に放出されることにより充電作業中は充電を補助し、充電時間を短縮するとともに充電に必要な供給電力を削減する。
【００１８】  また、負荷に給電するための放電作業中は、電解液２に放出された陽イオン６と電子７は、放電時間または使用時間を長くする。
【００１９】  また、水素結合の分離で放出される電子７は、還元効果で電極に付着した酸化物質を還元したり、電解液２の電解質の酸化劣化を抑制し、蓄電池寿命を延長する。
【００２０】  また、本発明の蓄電池の寿命延長装置８は蓄電池に充電する電気を、電子の散乱を抑制することで改質することができ、蓄電池から放出される電気の熱振動による抵抗を減少させることができるとともに、有害電磁波障害を抑制できる。
【実施例】
【００２１】  リチュームイオン電池を装着した充電式掃除機の蓄電池に本発明の寿命延長装置を取り付けたところ、充電時間が短縮され、使用時間が３０％以上延びることが確認された。【００２２】  また、リチュームイオン電池を装着したタブレット型端末機の蓄電池に本発明の寿命延長装置を取り付けて充電したところ、放電時間が約１５％延びることが確認できた。
【産業上の利用可能な分野】
【００２３】  本発明は、電気自動車の普及や再生可能エネルギの普及やスマートグリッドの普及に必要不可欠な要素となる蓄電池の充放電効率を高め、蓄電池寿命を延長することができるため、それらの普及に大変貢献できる。
【図面の簡単な説明】
【００２４】
【図１】本発明の蓄電池の寿命延長装置の充電作用概念の縦断面を示す。
【図２】本発明の蓄電池の寿命延長装置の充電作用概念の縦断面を示す。
【符号の説明】
【００２５】１  本体ケース
２  電解液
３  陽極
４  陰極
５  電源
６  活物質陽イオン
７  電子
８  寿命延長装置
９  共鳴電磁波
１０  負荷
【図１】
2015201417.tif 000003
【図２】
2015201417.tif 000004
(57)【要約】【課題】オール家電の移動可能重量までどこまで小型化できるか。充電式電池の容量とオール家電の消費電力。すなわち可動時間の問題。【解決手段】充電式電池の容量と小型化、オール家電の消費量。【特許請求の範囲】
【請求項１】
小型化されたオール家電（エアコン、電子レンジ、冷蔵庫等）に共通の規格化された充電式電池を入れるだけで移動可能となり、交通機関を利用すればどこにでも持ち運び（アウトドア化）ができ、自分専用にもできる。
【発明の詳細な説明】
【技術分野】
【０００１】        小型化されたオール家電（エアコン、電子レンジ、冷蔵庫等）に共通の規格化された充電式電池を入れるだけで移動可能となり、交通機関を利用すればどこにでも持ち運び（アウトドア化）ができ、自分専用にもできる。
【発明の概要】
【発明が解決しようとする課題】      オール家電の移動可能重量までどこまで小型化できるか。
充電式電池の容量とオール家電の消費電力。すなわち可動時間の問題。
【課題を解決するための手段】      充電式電池の容量と小型化、オール家電の消費量。
【発明の効果】      自分専用のオール家電を持ち運びできることにより、例えばエアコンは車内で効果絶大となる。オール家電をアウトドア化できる。
(57)【要約】【課題】  病人が着用する病衣は、着せるときに大変なので、種々工夫されている。  本発明は、そういった背景の中で、病衣を改良し、使用する立場になって、一目で組み立てられる、病気の人が着用する病衣の改良を提供する。【解決手段】  病衣の全面を前身頃（Ａ）、前身頃（Ｂ）、前身頃（Ｃ）に分割し、後面を後身頃（Ｄ）、後身頃（Ｅ）に分割し、前身頃（Ａ）の肩部に開閉部（１）を設け、前身頃（Ｃ）の肩部に開閉部（２）を設け、前身頃（Ａ）と前身頃（Ｂ）の間に開閉部（３）を設け、前身頃（Ｂ）と前身頃（Ｃ）の間に開閉部（４）を設け、前身頃（Ｂ）の足部の内側の周囲に開閉部（５）を設け、後身頃（Ｄ）と後身頃（Ｅ）の間に開閉部（６）を設けたことを特徴とする病気の人が着用する病衣の改良。【選択図】図１
2015074870.tif 000002
【特許請求の範囲】
【請求項１】
病衣の全面を前身頃（Ａ）、前身頃（Ｂ）、前身頃（Ｃ）に分割し、後面を後身頃（Ｄ）、後身頃（Ｅ）に分割し、前身頃（Ａ）の肩部に開閉部（１）を設け、前身頃（Ｃ）の肩部に開閉部（２）を設け、前身頃（Ａ）と前身頃（Ｂ）の間に開閉部（３）を設け、前身頃（Ｂ）と前身頃（Ｃ）の間に開閉部（４）を設け、前身頃（Ｂ）の足部の内側の周囲に開閉部（５）を設け、後身頃（Ｄ）と後身頃（Ｅ）の間に開閉部（６）を設けたことを特徴とする病気の人が着用する病衣の改良。
【発明の詳細な説明】
【技術の分野】
【０００１】  病人が着用する病衣は、着せるときに大変なので、種々工夫されている。
本発明は、そういった背景の中で、病衣を改良し、使用する立場になって、一目で組み立てられる、病人が着用する病衣の改良に関するものである。
【背景技術】
【０００２】  病衣は、使用する患者の症状や条件で、病衣として、組み立て方が、種々工夫されているが、病衣として止め具の違う種類の病衣が多く存在し、その都度、止め具をどことどこを合わせて組み立てるか、戸惑うことが、しばしばあった。
ことに、病院や施設など、大勢の方を対象にしているところでは、中には、患者の人が暴れたりして、病衣を着せるのが大変な仕事になっていた。
また、時間もゆとりのない中で、病衣を着せてあげることも、たびたびあった。
病人の病衣は、その患者のニーズにより、多種多様で、とくに大勢の患者を扱う病院や施設の現場では、着せ替えるだけで、大幅な時間もかかり、着せられる側、着せ替える側、共に時間も係ることにより、ストレスになることもあった。
【特許情報文献】
【特許文献】
【０００３】
【特許文献１】  特開２００１−２６２４１０号公報
【特許文献２】  特開平８−１５８１２１号公報
【発明の概要】
【発明が解決しようとする課題】
【０００４】  どんな条件の中でも、患者の更衣させるときに、できるだけ短時間に、きちんと更衣させてあげるために、多種多様の病衣でも、簡単に、どことどこを止めたら完成した病衣に着せ掛けてあげられるかが、一目で分かる病衣が長い間、病院の現場で求められていた。
現在、販売されている病衣には、面ファスナーやホック止めなども一カ所から多数カ所の開閉部が設けられているものがあった。
ところが、病衣を着せるときに開閉部の数が多くなるほど、どことどこを合わせて着せるのか、着せる側は、戸惑うことが多かった。
病人や寝たきり老人、動きの多い人など、着衣者の疼痛や、着せられるうっとうしさ、露出への苦痛など、身体的、精神的苦痛を最小限にしてあげることも、着衣させられる人への、やさしさにもつながり、介助者にとっても、すみやかに更衣する作業ができれば、病院や施設など、多人数の介護をする人にとっても作業負担の軽減につながるため、病衣の改良が求められていた。
本発明は、病衣のそれぞれの開閉部の、たとえば、面ファスナーやホックなどの止め具の色を一カ所ずつ、色を違えることで、一目でどことどこを合わせるかが分かり、スムースに更衣させられるように改良した。
【課題を解決するための手段】
【０００５】  病衣の全面を前身頃（Ａ）、前身頃（Ｂ）、前身頃（Ｃ）に分割し、後面を後身頃（Ｄ）、後身頃（Ｅ）に分割し、前身頃（Ａ）の肩部に開閉部（１）を設け、前身頃（Ｃ）の肩部に開閉部（２）を設け、前身頃（Ａ）と前身頃（Ｂ）の間に開閉部（３）を設け、前身頃（Ｂ）と前身頃（Ｃ）の間に開閉部（４）を設け、前身頃（Ｂ）の足部の内側の周囲に開閉部（５）を設け、後身頃（Ｄ）と後身頃（Ｅ）の間に開閉部（６）を設けたことを特徴とする病人が着用する病衣の改良である。
【発明の効果】
【０００６】  上記により、一目で分かる同じ色の留め具を合わせて組み立てるだけで、初めて、その病衣を扱う人にも簡単でストレスなく介護できる。
また、大勢の方を同時間にお世話する、介護の現場では、患者様にもストレスを少なくして、短時間での更衣作業ができる。
何カ所もついている止め具を改良したことで、病人の病衣として使える。
ときには、体を引っかくなどの自傷行為からの怪我から身を守ることができる。
安全に清潔で、怪我を最小限に暮らさせてあげるために使える。
ときには、寝ている環境で、おむつはずしをしてしまい、尿便で不衛生な状態になることがあるが、そんなときに、病人の個々のニーズよって、多種の構造があり、発熱や冷感を伴う人、硬縮のある方、暴れる症状の病人も少なくないため、短時間で更衣をしてあげられる。
かつ、介助者にも、効率よく作業ができる。
【図面の簡単な説明】
【０００７】
【図１】  本発明は正面図である。
【発明を実施するための形態】
【０００８】  病衣の全面を前身頃（Ａ）、前身頃（Ｂ）、前身頃（Ｃ）に分割し、後面を後身頃（Ｄ）、後身頃（Ｅ）に分割し、前身頃（Ａ）の肩部に開閉部（１）を設け、前身頃（Ｃ）の肩部に開閉部（２）を設け、前身頃（Ａ）と前身頃（Ｂ）の間に開閉部（３）を設け、前身頃（Ｂ）と前身頃（Ｃ）の間に開閉部（４）を設け、前身頃（Ｂ）の足部の内側の周囲に開閉部（５）を設け、後身頃（Ｄ）と後身頃（Ｅ）の間に開閉部（６）を設けたことを特徴とする病気の人が着用する病衣の改良である。
何カ所もついている病衣の止め具、ジッパー式が多いがどんな止め具でも、一カ所ずつ止め具の色を違える。
本発明は、病衣のそれぞれの開閉部の、たとえば、面ファスナーやホックなどの止め具の色を一カ所ずつ、色を違えることで、一目でどことどこを合わせるかが分かり、スムースに更衣させられる。
止め具の色を、それぞれ変えることにより、初めて扱う種類の病衣でも、誰でも簡単に色を合わせて組み立てていくだけで、完成した病衣に着せ掛けられる。
【符号の説明】
【０００９】Ａ  前身頃
Ｂ  前身頃
Ｃ  前身頃
Ｄ  後身頃
Ｅ  後身頃
１  開閉部
２  開閉部
３  開閉部
４  開閉部
５  開閉部
６  開閉部
【図１】
2015074870.tif 000003
(57)【要約】【課題】よだれの多い赤ちゃんは、よだれかけやよだれふきの使用枚数が多くなるので、外出時の荷物がかさばらないようにする。また、引っ掛けられると便利である。【解決手段】普段よだれふきとして使うハンカチの四角のうち一か所に、ループ状のリボンテープを設け、リボンテープの先と、その対角線上の角にスナップボタンを設け、ハンカチを二つ折りにして、ハンカチとリボンテープのスナップボタンを留めてつなげるとよだれかけになり、また、スナップボタンをはずして広げるとハンカチとして使え、さらに、リボンテープがループ状になっているので、引っ掛けることができることを特徴とするハンカチ。【選択図】図１
2015074869.tif 000002
【特許請求の範囲】
【請求項１】
普段よだれふきとして使うハンカチの四角のうち一か所に、ループ状のリボンテープを設け、リボンテープの先と、その対角線上の角にスナップボタンを設け、ハンカチを二つ折りにして、ハンカチとリボンテープのスナップボタンを留めてつなげるとよだれかけになり、また、スナップボタンをはずして広げるとハンカチとして使え、さらに、リボンテープがループ状になっているので、引っ掛けることができることを特徴とするハンカチ。
【発明の詳細な説明】
【技術分野】
【０００１】この発明は、よだれかけとよだれふきとループタオルに兼用できるハンカチに関するものである。
【背景技術】
【０００２】従来は、よだれかけを留めるリボンテープとハンカチが分離されていたので、リボンテープを紛失することもあって、よだれかけを構成することができないことがあった。それに対して今回は、リボンテープとハンカチを一体化して構成することによって、この問題を解決した。
以下の文献にもよだれかけ兼用タオルハンカチの開示がある。
【先行技術文献】
【特許文献】
【特許文献】  特開２０１１−２３１４４２
【発明の概要】
【発明が解決しようとする課題】
【０００３】よだれの多い赤ちゃんは、よだれかけやよだれふきの使用枚数が多くなるので、外出時の荷物がかさばらないようにする。また、引っ掛けられると便利である。
【課題を解決するための手段】
【０００４】普段よだれふきとして使うハンカチの四角のうち一か所に、ループ状のリボンテープを設け、リボンテープの先と、その対角線上の角にスナップボタンを設け、ハンカチを二つ折りにして、ハンカチとリボンテープのスナップボタンを留めてつなげるとよだれかけになり、また、スナップボタンをはずして広げるとハンカチとして使え、さらに、リボンテープがループ状になっているので、引っ掛けることができることを特徴とするハンカチ。
【発明の効果】
【０００５】ハンカチとリボンテープのスナップボタンを留めたり外したりでき、よだれかけとよだれふきが兼用できるので、使用枚数や外出時の荷物の軽減につながる。よだれかけの機能は果たし、よだれかけには見えずおしゃれである。また、リボンテープがループ状になっていて、どこにでも引っ掛けることができるので便利である。
【図面の簡単な説明】
【０００６】
【図１】本発明の実施例である。
【図２】本発明の使用状態を示す正面図である。
【図３】本発明の使用状態を示す背面図である。
【図４】フックに掛けた状態である。
【発明を実施するための形態】
【０００７】以下、本発明を実施するための形態について図を用いて説明する。
ハンカチ１の四角のうち一か所に、ループ状のリボンテープ２を設ける。
リボンテープの先にスナップボタン３を設ける。その対角線上の角にスナップボタン４を設ける。ハンカチを二つ折りにして、ハンカチとリボンテープのスナップボタンを留めてつなげると輪になるので、首に巻くことができよだれかけになる。スナップボタンをはずして広げるとハンカチとして使える。さらにリボンテープがループ状になっていて引っ掛けることができるので、ループタオルとしても使える。
【符号の説明】
【０００８】１ハンカチ
２リボンテープ
３スナップボタン
４スナップボタン
【図１】
2015074869.tif 000003
【図２】
2015074869.tif 000004
【図３】
2015074869.tif 000005
【図４】
2015074869.tif 000006
(57)【要約】【課題】消しゴムのカスを、あたりに散らさずに処理する、ごみ取り具を提供する。【解決手段】ごみ取り具の本体（１）は、紙、ビニール、布、様々な種類のテープ、様々な粘着力のテープ等、どのような素材でもよく、一定の形のシール（２）を何枚も重ね貼り合せ厚みを設ける。シール（２）の上面が粘着面（３）で使用後に爪をかけ一枚づつはがせるように粘着面（３）のほんの一部、少しを爪のひっかけ部として不粘着部（４）としたことを特徴とする。【選択図】図１
2015074782.tif 000002
【特許請求の範囲】
【請求項１】
ごみ取り具の本体（１）は、紙、ビニール、布、様々な種類のテープ、様々な種類の粘着力のテープ等、どのような素材でもよく、一定の形のシール（２）を何枚も重ね貼り合せ厚みを設ける。シール（２）の上面が粘着面（３）で、使用後、爪をかけ一枚づつシールをはがすため粘着面（３）のほんの少し一部を不粘着部（４）としたごみ取り具。
【発明の詳細な説明】
【技術分野】
【０００１】  この発明は、消しゴムのカスを処理するための、ごみ取り具に関するものである。
【技術背景】
【０００２】  従来、このような物はなく、消しゴムのカスは、手で払いよけるだけである。
【発明の概要】
【発明が解決しようとする課題】
【０００３】  これには、次のような欠点があった。
消しゴムのカスは処理されず、手で払い散らかしていた。
本発明は、この欠点を解決するためになされたものである。
【課題を解決するための手段】
【０００４】  ごみ取り具の本体（１）は、紙、ビニール、布、様々な種類のテープ、様々な粘着力のテープ等、どのような素材でもよく、一定の形のシール（２）を何枚も重ね貼り合せ厚みを設ける。シール（２）の上面が粘着面（３）である。
本発明は、以上の構成よりなる、ごみ取り具である。
【発明の効果】
【０００５】  ごみ取り具の粘着面（３）を消しゴムのカスにペタペタと押し簡単に処理できる。
【図面の簡単な説明】
【０００６】
【図１】  本発明の断面図である。
【発明を実施するための形態】
【０００７】  以下、本発明の実施について説明する。
ごみ取り具の本体（１）は、紙、ビニール、布、様々な種類のテープ、様々な粘着力のテープ等、どのような素材でもよく一定の形のシール（２）を何枚も重ね貼り合せ厚みを設ける。シール（２）の上面が粘着面（３）である。使用後に爪をかけ一枚づつシールをはがすため粘着面（３）のほんの少しを爪のひっかけ部として不粘着部（４）とする。シール（２）のサイズは、ペンケースに入るくらいで、２センチ×２センチ前後の四角形である。又は長方形、円形、ハート形など自由な形でもよい。シール（２）のサイズ、シールを重ねる厚み、シールの粘着力なども自由でよい。シール（２）のサイズを大きくすると家庭、飲食店、会社などのテーブルの上のささいなゴミを取ることもできる。シール（２）は、はり付けたままの、はがすのは困難なシールではなく、簡単にはがして何回もペタペタできるシールである。
ごみ取り具の本体（１）のシール（２）の下面に土台を付けてもよい。この土台に取手を付けるのもよい。指の太さに応じて使用できるよう半リング状のものを組み合せたものや、あるいはリング状の物を付け指輪の様に指に預けると即時にカスを処理できる。
本発明は、以上のような構造で、これを使用するときは
本体（１）のシール（２）の粘着面（３）を消しゴムのカスにペタペタと押し当てる。
【符号の説明】
【０００８】  １．本体    ２．シール    ３．粘着面    ４．不粘着部
【図１】
2015074782.tif 000003
(57)【要約】      （修正有）【課題】化学危険物質、放射能汚染物、汚染水、の拡散流出、浸透防止対策として、地震にも強く安全なＶ型芯材入り地中連続壁工法を提供する。【解決手段】汚染水、等は計量プラントを使用し、圧送固化材も自動的プラントから自動的に包囲遮断壁内に送る装置を備えた設備で、コンクリート擁壁４内に設けた多段式パイプ３を通じ汚染水内に噴出し、攪拌混合した混合材を、擁壁天端１ｍ下まで堆積させ固化を待って天端迄コンクリートをポンプ車によって打設し封印する。【選択図】図１
2015074970.tif 000002
【特許請求の範囲】
【請求項１】
化学工場等の重水銀、有毒化学物質の浸透、流出汚染防止並びに原子力発電所の放射能物質、汚染水等を拡散、浸透、流出を遮断する、地中連続壁工法であり、地中連続壁はＶ型シートパイル芯材を入れた連続性に優れた遮断壁工法とした
【請求項２】
地震等による自然現象又は圧密沈下等により、有毒危険物質、放射能含有水又は物質が敷地土壌に流出，浸透、混合する恐れがある場合の対策方法として考えた工法で、化学工場、原子力発電所敷地、又はそれら保管、貯蔵する敷地全体、全域を包囲遮断する工法である、その方法は対象敷地に連続地中壁を設けて遮断する工法で有毒危険物質等の化学変化、放射能含有物質又は汚染水等、又放射線の関係から、地中遮断壁厚さを１ｍとし、深度はその対象敷地の成層状況により調査の結果決定する
【請求項３】
化学工場、原子力発電所の敷地で地中連続壁を施工する場合地中埋設物等の障害物により施工が困難な場合があるが、歯抜け個所は地中壁両側にコラムジェット工法にてコンクリート壁の連続性を確保することが出来るのと、大きい地震による局部的破損が生じても、早期にコラムジェット工法により補修が出来る
【請求項４】
地中連続壁工法の施工方法は各社特有の工法があるが、今回考えた工法は連続壁厚さ最少限１ｍとしたコンクリート壁中にＶ型シートパイルを芯材とした遮断壁である、大きい地震時、鉄筋コンクリート連続壁では亀裂が必ず生じるので、其の場合でも安全であるＶ型シートパイル芯材入り連続壁工法としたことを本工法の特色とする。
【請求項５】
Ｖ型シートパイル芯材入り連続壁施工時に、Ｖ型シートパイルは施工地盤高さより３０ｃｍ上げた状態で施工し、打設後更にＶ型シートパイルを溶接ジョイント出来る状態にし、打設後地上最低３ｍ立ち上げ、コンクリート擁壁の芯材とすることにより気密性が維持出来る構造としてあることも特色である。尚地中連続壁芯材であるＶ型シートパイルと立ち上げ３ｍの擁壁芯材の溶接ジョイント部は擁壁のコンクリート中なので気密性に安全性がある。
【請求項６】
Ｖ型シートパイル芯材入りコンクリート擁壁内部には多段式に５ｍ毎にパイプを取り付け、遮断壁外側に設置したプラントからパイプ圧送にて、擁壁内側から高炉セメント等の固化材を噴出させることの出来る構造装置とした無人攪拌固化の出来る構造で、有毒危険物質、放射能含有物質、各汚染水等を固化し、擁壁天端から１ｍ下がり迄堆積させ、其の上部は擁壁天端までコンクリートで固め封じ込む事を特許の請求範囲とする
【発明の詳細な説明】
【技術分野】
【０００１】化学危険物質、放射能汚染物等は在来迄ドラム管等により封じ込めて来たが、最近ドラム管の腐食等により更なる対策が迫られている現状である、在来迄は局部的対応策で今後大きい地震が起きる予測ある中、その対策案の準備と実施が必要と考え本工法を考案した、
【背景技術】
【０００２】  産業廃棄物処分場からの汚染水の遮断対策工法を提案実施してきた経験から、確実性のある施工可能で、安全性の高い工法が要求される、危険物を取り扱う化学工場、原子力発電所を設けてある、海岸沿岸に於けるコンビナート地域では大きい地震に備えて前もって、汚染物質、汚染水の拡散、流出、浸透防止策を講じて置く必要が考えられる、福島第一原子力発電所の放射能汚染水漏れの様に応急処理でタンクに一時貯水して化学的処理をしているようであるが、これから必ず起きる大きい地震に対し無防備である、度重なる汚染水漏れは地震の後に生じている、一日も早く遮断壁を設けるべきである、タンクが一気に破壊し、汚染水の処理で振り回され、廃炉の工程が掴めなくなる、そこで地震にも強く安全なＶ型芯材入り地中連続壁工法を開発した
【発明の開示】
【発明が開示しようとする課題】
【０００３】茨城県、千葉県沖を震源とする東京湾直下型の大きい地震が生じた場合コンビナートに於ける化学工場又は石油タンク、各発電所等は計り知れない大きな事故が予想される、そこで有毒物質、石油、放射能含有物質、各汚染水の流出拡散、浸透を最小限にすることで本工法を提案するが地中障害物が多く、経済面から課題がある。
【課題を解決する手段】
【０００４】  地中障害物は徐々に前もつって取り除き本工法の段取りを行う計画を建て更に各関係庁と協議し助成金の申請をする手段にて課題を解決する。
【発明の実施形態】
【０００５】対象範囲を選定し，全周の地盤の調査をして施工深度を決定し、計画書を関係部署に提出し許認可後実施に入るが、観測井を複数設け、自記測定分析をしつつ、出来るだけ人件費を使わない無人操作方法で現地にて解決出来るのが本工法である。
汚染水、等は計量プラントを使用し、圧送固化材も自動的プラントから自動的に包囲遮断壁内に送る装置を備えた設備で、コンクリート擁壁内に設けた多段式パイプを通じ汚染水内に噴出し、攪拌混合した混合材を、擁壁天端１ｍ下まで堆積させ固化を待って天端迄コンクリートをポンプ車によって打設し封印する工法である。
【発明の効果】
【０００６】本発明で対策をしておれば事故時一次的復旧に当たれ、二次的問題に関係せず本来の復旧に当たれる効果があり二次災害補償を避けられる。
【図面の簡単な説明】
【０００７】
【図１】地中Ｖ型シートパイル芯材入り連続擁壁と擁壁Ｖ型シートパイル芯材の接合部断面図
【符号の説明】
【０００８】１、地中Ｖ型シートパイル芯材入り連続壁
２、Ｖ型シートパイル芯材入りコンクリート擁壁
３、多段式パイプ（固化剤粉体圧送パイプ）
４、上部１ｍ厚さコンクリート
５、汚染水と固化材混合材堆積物
【図１】
2015074970.tif 000003
(57)【要約】【課題】  回り階段の上がり降りするときに、手摺がなければ階段の中芯部分を円描くように上がり降りするが、従来の手摺は階段の外側に直角に付いているのがほとんどです、直角の手摺につかまって円を描くように上がれない欠点があった、その欠点を補うために、出隅４５°に、手摺を垂直に付ければリズム良く９０°回れる。  本発明は、回り階段の手摺金物を提供する。【解決手段】  回り階段の出隅に直角の取り付け板（１）を取り付け、手摺出幅（２）は既存の金物と足の長さで調節、手摺受け板（３）は手摺直径（約３０ｍｍ〜４５ｍｍ）に合わせ、取り付けビス穴（４）、階段の出隅柱（５）、また、壁出隅、回り階段睡直手摺（６）と直階段手摺（７）を接続したことを特徴とする手摺金物。【選択図】図１
2015074969.tif 000002
【特許請求の範囲】
【請求項１】
回り階段の出隅に直角の取り付け板（１）を取り付け、手摺出幅（２）は既存の金物と足の長さで調節、手摺受け板（３）は手摺直径（約３０ｍｍ〜４５ｍｍ）に合わせ、取り付けビス穴（４）、階段の出隅柱（５）、また、壁出隅、回り階段睡直手摺（６）と直階段手摺（７）を接続したことを特徴とする手摺金物。
【発明の詳細な説明】
【技術分野】
【０００１】  本発明は、回り階段の上がり降りするときに、手摺がなければ階段の中芯部分を円描くように上がり降りするが、従来の手摺は階段の外側に直角に付いているのがほとんどです、直角の手摺につかまって円を描くように上がれない欠点があった、その欠点を補うために、出隅４５°に、手摺を垂直に付ければリズム良く９０°回れる手摺金物に関するものである。
【背景技術】
【０００２】  回り階段の手摺は外側に直角に付けていた、回り階段の踏み面らは中芯が一定の幅になっているが、直角の手摺に沿って上がり降りすると、外側の踏み面（幅）が違うため歩幅のリズムがとれない。
従来の取り付け金物は、エンドブラケット、コーナブラケット、ジョイントブラケット、中間ブラケット、自在ブラケット、直継ぎ手ブラケット、などの金物はありました。
【発明の概要】
【発明が解決しようとする課題】
【０００３】  回り階段で、手摺が階段の外側直角では、急ぐときに手摺を握りながら、バランスよく９０°回ることができない。
また、回り階段は中芯の踏み面が一定幅にできているため直角の手摺につかまって上がり降りすると外側を回って踏み面が違って危険性がある。
また、オーダアメイドで、ステンレスなら捻り、曲げ加工はできるが、高額すぎて施工日数がかかるため一般家庭の手摺では不向きである。
本発明は、以上の問題点を解決するためになされたものである。
【課題を解決するための手段】
【０００４】  回り階段の出隅に直角の取り付け板（１）を取り付け、手摺出幅（２）は既存の金物と足の長さで調節、手摺受け板（３）は手摺直径（約３０ｍｍ〜４５ｍｍ）に合わせ、取り付けビス穴（４）、階段の出隅柱（５）、また、壁出隅、回り階段睡直手摺（６）と直階段手摺（７）を接続したことを特徴とする手摺金物である。
【発明の効果】
【０００５】  取り付け版は手摺幅より広く約６０ｍｍ高さ約５０ｍｍ厚みは約１５ｍｍ、手摺出幅は（２）で調整、手摺受け約１００ｍｍ×２７ｍｍアールは、手摺直径に合わせる、約３０ｍｍ〜４５ｍｍである。
手摺を回り階段の出隅４５°に、垂直に取り付けて直階段の手摺と接続すれば（図３、６、７）回り階段から、直階段とリズム良くスムーズに上がり降りができる。
回り階段部分の上がり降りのとき垂直手摺（６）を軽く握って手首を上下するだけで、手を離さずに上がり降りができるため、危険性も少なくなる。
回り階段の図面は内側の柱から、円を書いて踏み面を一定幅に施工しているため、内側の出隅４５°に付けることで、階段の一定幅の部分を円描くようにリズム良く安全に上がり降りができる手摺の位置なのです、なぜ無視されていたのか。
垂直の手摺を付けることで回り階段部分を、手摺を軽く握って体を振り回されるようにリズム良く上がり降りができるようになる。
オーダーメイドでなく、既製品を簡単に安く安全に、取り付け費も時間も半分でできる。
本発明は、回り階段の出隅に簡単に手摺を取り付けられる、手摺金物である。
手摺を回り階段の出隅４５°に、垂直に取り付けて、直階段の手摺と接続して完成すれば、垂直の手摺を軽く握って、回り階段の中芯部分を振り回されるようにリズム良く安全に上がり、降りができる。
【図面の簡単な説明】
【０００６】
【図１】  本発明の斜視図である。
【図２】  回り階段の平面図である。
【図３】  回り階段の垂直手摺位置の説明図である。
【本発明を実施するための形態】
【０００７】  以下、本発明の実施の形態を説明する。
回り階段の出隅に直角の取り付け板（１）を取り付け、手摺出幅（２）は既存の金物と足の長さで調節、手摺受け板（３）は手摺直径（約３０ｍｍ〜４５ｍｍ）に合わせる。
取り付けビス穴（４）、階段の出隅柱（５）、また、壁出隅、回り階段睡直手摺（６）と直階段手摺（７）を接続する。
従来の外側直角手摺（８）の位置、回り階段の右側（９）の壁部分。
発明の金物で垂直と直階段の手摺を接続（図３、６、７）取り付けして手摺を完成する。
本発明は以上のような構造である。
本発明を使用するときは、既存のＬ形ブラケットはメーカによって多少出幅、色、形が違うが、既存に合わせるための丸み、形、色、また、直角と４５°の誤差分は、足を長くすれば接続が楽にできる。
取り付け板は、手摺幅より広く約６０ｍｍ高さ約５０ｍｍ厚み約１５ｍｍ手摺受けは約１００ｍｍ×２７ｍｍ、アールは手摺直径に合わせる（約３０ｍｍ〜約４５ｍｍ）である。
注意点は、取り付け板が９０°のため直角にビスを差し込んでも（洋風の場合下地の上に１２ｍｍのボードを張ってクロス仕上げが普通である）下地の上場だけで、下地の芯に向かっていかないので、取り付け板は通常より幅は広く厚みは厚くして、ビスを下地の芯に向かっていくように誘導するために厚くする。
手摺受け１００ｍｍは、ビス止めのときドライバーが取り付け板に当たるので長くする。昔と違ってデザインは丸みを帯びている。
丸みを帯びても目的は同じである。
回り階段の出隅に直角の取り付け板を取り付けて、垂直の手摺（木製、ステンレス）を取り付け、直階段の手摺と接続して手摺を完成する手摺金物。
【符号の説明】
【０００８】    １  手摺取り付け板
２  手摺出幅調整足
３  手摺受け板
４  ビス穴
５  隅柱
６  回り階段部分の垂直手摺
７  直階段の手摺
８  従来の外側直角手摺９回り階段の右側一面の壁部分
【図１】
2015074969.tif 000003
【図２】
2015074969.tif 000004
【図３】
2015074969.tif 000005
(57)【要約】      （修正有）【課題】開き戸や引き出し等の開閉と同時に、ロック及びロック解除をできるようにすると共に、通常はロックされている状態にあり、不意の地震、転倒や移動等による収納物品の飛び出しを防ぐ自動ロック、ロック解除装置を提供する。【解決手段】ロック盤１とロック機能を起動させるケースとで構成され、ロック盤は、軸２と一体になっている二枚の羽根６にそれぞれに切り込み８と羽根頭７の先端に段差を設け、軸のところでＶ字形に重ね、羽根の裏面とロック盤１の間に設けた凹凸に合わせて定位置としロック盤に固定する。ロック盤１の底辺中央に尾尻４が差し込まれるストッパー５を設ける。ケースの前方上部に両極にストップピンを設けた軸穴を中心に左右並びに羽根頭穴を設け、ケースの両側に定位置を離れ可変後、水平になった二枚の羽根が停止できるような溝を設ける。【選択図】図１
2015074972.tif 000002
【特許請求の範囲】
【請求項１】
軸（２）と一体になった二枚の羽根（６）にそれぞれに切り込み（８）と羽根頭（７）の先端に段差（１７）を設け、軸（２）にＶ字形に重ね同軸とし、羽根の裏面（１６）とロック盤の間に設けた小さな凹凸（１４）（１５）に合わせ定位置とし、ロック盤に固定し、同盤（１）の底辺中央に尾尻（４）を差し込むためのストッパー（５）を設け、ケースの前方上部に両極にストップピン（１２）を設けた軸穴（１０）を中心に、その左右ならびに羽根頭穴（１１）を設け、ケース（９）の両側に羽根頭（７）の可変を停止できるような先端にした溝（１３）を設けた自動ロックおよびロック解除装置、。
【発明の詳細な説明】
【技術分野】
【０００１】この発明は開き戸や引き出し等の開閉作業と同時に遂行される自動ロックおよびロック解除に関するものである。
【背景技術】
【０００２】従来、開き戸や引き出し等のロック及びロック解除は開閉作業のたびに別途作業が必要であった。
【先行技術文献】
【０００３】
【技術文献１】
特開平９−２０６１５２
【発明の概要】
【発明が解決しようとする課題】
【０００４】これは、次のような欠点があった。
従来。開き戸、引き出し等のロック及びロック解除は、開閉作業とは別に施錠や解除作業がそのつど必要であった。ロックするのを忘れたり、ロックされているにもかかわらず無理に開けようとするなど、困ることが多かった。
本発明は、以上のような欠点をなくすためになされたものである。
【課題を解決するための手段】
【０００５】  ロックとロック解除装置を一体にして取り付けたロック盤（１）とロック盤を差し込むと同時に、ロック機能を起動させるケース（９）とで構成されている。
軸（２）と一体になっている二枚の羽根（６）にそれぞれに切り込み（８）と羽根頭（７）の先端に段差（１７）を設け、軸のところでＶ字形に重ね、羽根の裏面（１６）とロック盤（１）の間に設けた小さな凹凸（１４）（１５）合わせて定位置とし、ロック盤に固定する。ロック盤の底辺中央に尾尻（４）が差し込まれるストッパー（５）を設ける。
ケース（９）の前方上部に両極にストップピンを設けた軸穴（１０）を中心に左右並びに羽根頭穴（１１）を設け、ケース（９）の両側に定位置を離れ可変後、水平になった羽根を停止できるような先端にした溝（１３）を設ける。
本発明は以上の構成による自動ロック及びロック解除装置である。
【発明の効果】
【０００６】  ロック機能をもったロック盤と、ロック盤をはめ込みロック機能を起動させるケースとで構成されている。開き戸や引き出し等の扉や引出しや取っ手などによる開閉作業の開始と終了の時点でロック解除及びロックは自動的に完了する。改めて施錠や解除作業の必要はなく、又、ロックの確認やロックしたまま無理に開けようとするなどの混乱はない。きちんと閉まっているときは、完全ロックされている状態にあり、反対に開けられているときには、ロック解除の状態にあり、閉まっているときに内側からの圧力でロック解除することはないので、地震、転倒、移動などで中の物品が飛び出すことはない。
【図面の簡単な説明】
【０００７】
【図１】  ロック機能を取り付けたロック盤の斜視図である。
【図２】  ロック機能を取り付けたロック盤の平面図である。
【図３】  ケースの斜視図である。
【図４】  ケースの平面図である。
【図５】  羽根の裏面の斜視図である。
【図６】  羽根の裏面の斜視図である。
【図７】  羽根の表面の斜視図である。
【図８】  羽根の表面の斜視図である。
【図９】  ロック盤に固定した羽根全体の表面の平面図である。
【図１０】  ロック盤に固定した羽根全体の裏面の平面図である。
【図１１】  ロックした時の羽根の裏面と溝の状態の平面図である。実際には前面にロック盤がある。
【図１２】  ケースにロック盤を押し込むときの斜視図である。
【発明を実施するための形態】
【０００８】    以下、本発明を実施するための形態について説明する。
軸（２）と一体のなった二枚の羽根（６）にそれぞれに切り込み（８）をいれ、軸（２）にＶ字形に重ねて同軸とし、羽根（６）の裏面とロック盤（１）の間に設けた小さな凹凸（１４）（１５）に合わせて定位置とし、ロック盤（１）に固定する。ロック盤（１）の底辺中央に尾尻（４）を差し込むストッパー（５）を設ける。ケースの前方上部に、ストップピンを設けた軸穴（１０）を中心に左右並びに羽根頭穴（１１）を設け、両側に羽根頭（７）の可変を停止できるような先端にした溝（１３）を設ける。
これを使用するときは、ケース（９）にロック盤を押し込むと，定位置にある羽根頭（７）の一部が溝（１３）の中を通り羽根頭穴（１１）にあたり、可変しながら溝（１３）の先端で水平に停止すると共に、尾尻（４）はストッパーの中に収まる。また羽根（６）の動きと同時に軸（２）は軸穴（１０）にあたり、これに呼応してストップピン（１２）が羽根の切り込み（８）に入り、羽根（６）の動きを完全に止める。
【符号の説明】
【０００９】  １    ロック盤
２    軸
３    止め
４    尾尻
５    ストッパー
６    羽根
７    羽根頭
８    切り込み
９    ケース
１０    軸穴
１１    羽根頭穴
１２    ストップピン
１３    溝
１４    凹凸
１５    凹凸
１６    羽根の裏面
１７    段差
【図１】
2015074972.tif 000003
【図２】
2015074972.tif 000004
【図３】
2015074972.tif 000005
【図４】
2015074972.tif 000006
【図５】
2015074972.tif 000007
【図６】
2015074972.tif 000008
【図７】
2015074972.tif 000009
【図８】
2015074972.tif 000010
【図９】
2015074972.tif 000011
【図１０】
2015074972.tif 000012
【図１１】
2015074972.tif 000013
【図１２】
2015074972.tif 000014
(57)【要約】【課題】自在接続具でねじ回転が規制されている場合は、施工時に手摺棒を固定するねじ穴の位置が規制されて施工がやりにくい位置になるなど不具合が生じる事がある。またねじり回転が規制されていない物は施工の時に手摺棒と回転部材の両方を同時に保持する必要があり施工性が悪く、ねじの取付がやりにくい問題がある。【解決手段】本発明は、ねじり回転を弾性体の抑制部材を装着する事でねじり回転も自在でかつ施工時に回転部材を適切な位置に回動して手摺棒にビスを打ち込むことが出来る施工性を改善した自在接続具を提供せんとするものである。【選択図】図１
2015074973.tif 000002
【特許請求の範囲】
【請求項１】
半球面状の凹面部が両側に設けられた本体部と、一端に手摺が接続される接続手段が設けられ、他端に前記凹面部に嵌まり込む半球面状の凸面部が設けられた一対の可動部材とを備え、前記本体部と前記一対の可動部材とは前記凹面部および前記凸面部の球面形状に沿った相対的な折り曲げ動作が許容され、一方の前記可動部材と前記本体部材とは相対的なねじり回転動作が規制されず、他方の前記可動部材と前記本体部材とは相対的なねじり回転動作が許容された状態で、前記本体部材の両側に前記一対の可動部材が結合され、本体部材両側の内側に弾性体で前記一対の可動部材の半球面部に当接して回転ねじり動作を抑制する制動部材を一対に備えたことを特徴とする手摺の自在接続具。
【発明の詳細な説明】
【産業上の利用分野】
【０００１】本発明は、廊下や階段等の壁面に取り付けられる手摺を角度自在に接続する手摺の自在接続具である。
【背景技術】
【０００２】手摺は通常、複数本の手摺を接続することで連続した手摺が構成されている。廊下や階段で曲がり角度において、多用な曲がり角度に対応するように接続角度を自在に変更して２本の手摺を接続できる自在接続具が用いられる。このような自在接続具としては、特許３４４５５５１号に示す物が知られている。
【課題を解決するための手段】
【０００３】本発明は、ねじり回転動作を規制された端部がどちらか判らず施工してしまい、固定ビスの位置が思いがけない所に現れてしまうことを防ぐために本体部に回転自在に可動する端部を設けて、回転を抑制する効果のある抑制部材を設けることで、施工性を改善してビスの位置が施工しやすく、隠れる位置に回転してビス止めできる。
【発明の効果】
【０００４】本発明により、左右の区別無く無作為に手摺施工ができ、ビスも装着し易い位置で施工することができる。
【発明を実施するための最良の形態】
【０００５】本発明は、自在接続具の可動部と本体部がねじり回転自在に構成されている自在接続具で本体部の凹形状部に弾性体の抑制部材を置くだけで回転部材の組立ねじで回転部材外側の半球面部に抑制部材が当接する事でねじり回転が抑制されて施工する際に手摺棒だけを保持して施工できることが最良の形態である。
【実施例】
【０００６】図面は本発明の一実施例を示したもので、図１は本発明の自在接続具を表した斜視図、図２はビス穴の面を示した斜視図を示す。図３は手摺装着部から見た断面位置図、図４は図３の断面をＡ方向から見た断面図、図５は弾性体の抑制部材の斜視図、図６は抑制部材を本体部の凹部に入れる参考図を示す。図中１は本体部を示し、２は右側可動部材を示し、３は弾性体の抑制部材を示し、４は本体部の凹面部に装着する座部材Ａを示し、５は左側可動部材を示し、５ａは手摺棒の固定用ねじ穴を示す、６は可動部材を抑える座部材Ｂを示し、７は６座部材Ｂと５可動部材と４座部材Ａに挿入して１本体部材に螺合し固定するボルト部材を示し、８は７のボルトに挿入して回転部材を保持するよう組み立てるナット部材を示す。
【産業上の利用可能性】
【０００７】本発明は、自在接続具の利点であるねじり回転機能を抑制して施工性を改善することでビスの位置を適切に移動できビス取付時の施工性を確保できるものである。
【図面の簡単な説明】
【０００８】
【図１】本発明による自在接続具の斜視図
【図２】自在接続具のビス穴方向の斜視図
【図３】図４の断面位置を示す側面図
【図４】断面図
【図５】弾性体の抑制部材斜視図
【図６】弾性体の抑制部材の位置を示す斜視図
【符号の説明】
【０００９】１        本体部材
２        右側回転部材
２ａ      皿穴
３        弾性体の抑制部材
４        座部材Ａ
５        左側回転部材
５ａ      皿穴
６        座部材Ｂ
７        組立ボルト
８        組立ナット
【図１】
2015074973.tif 000003
【図２】
2015074973.tif 000004
【図３】
2015074973.tif 000005
【図４】
2015074973.tif 000006
【図５】
2015074973.tif 000007
【図６】
2015074973.tif 000008